(57)【要約】【課題】鼻緒付き履物には、専門の治具（挿げ具）を用いて履物の台に鼻緒の端を圧入して挿げたり、鼻緒を挿げた台の裏側から鼻緒の端を固定する作業を行うのが一般的で、これらは専門的な知識や道具を持つ専門家に任せる作業である。そのため、一般ユーザは履物の台に既に鼻緒を組み付けてある鼻緒付き履物を購入するしかなく、色柄の違う組合せの商品が陳列してない場合は、専門家にオーダーして挿げてもらうしかない。【解決手段】鼻緒の端に一体物の鍔を設けて、この鍔の形状を長形状にすることで、鼻緒の端をひねって鼻緒付き履物の台に素手のひと押しで鼻緒を挿げることを可能にし、挿げた後に鼻緒の端のひねりを元に戻すことで鼻緒の先の鍔を台に固定可能とする。また、長形状の鍔は素手の引っ張り力で湾曲させる、または、鍔と同形の鍔挿入穴に鍔を導くことで、素手で履物の台から鼻緒を外すことを可能とする。【選択図】図２
2015112121.tif 000002
【特許請求の範囲】
【請求項１】
鼻緒の端には鼻緒を挿げて台に固定する鍔を設け、鼻緒を台に挿げる場合は、
鼻緒の端をひねって素手のひと押しで台の鍔挿入穴に挿げ、
鍔固定穴に鍔を導くことで鼻緒の端が台に固定される鼻緒および鼻緒付き履物。
【請求項２】
さらに、鼻緒を台から外す場合は、素手の引き抜く力で鼻緒の端の鍔を変形させて台から外す、または、
鼻緒の端の鍔を鍔挿入穴の位置に手で導いて鼻緒の端を台から外す、
の何れか一方の方法で鼻緒の端を台から外せる請求項１に記載の鼻緒および鼻緒付き履物。
【請求項３】
前記鼻緒の鍔は鼻緒の端にＴ字型で設けられ、その端面は非円形である、
請求項１または２に記載の鼻緒および鼻緒付き履物。
【請求項４】
前記鼻緒の鍔の端面形状は、長形である請求項３に記載の鼻緒および鼻緒付き履物。
【請求項５】
前記鼻緒付き履物は、鍔固定穴の中で鍔の変形を防ぐ補強部材を持つ、
請求項１から４の何れかに記載の鼻緒および鼻緒付き履物。
【請求項６】
前記補強部材は、鼻緒の首部をまたいで差し込む開口部を待ち、
鼻緒の鍔の少なくとも三面を囲んで鍔の固定をさらに補強する、
請求項５に記載の鼻緒および鼻緒付き履物。
【請求項７】
前記鼻緒付き履物は調整部材を持ち、
台に設けられた鍔固定穴の中で鼻緒の鍔と台の間に該調整部材を挟み、
該調整部材の厚みで台の中の鍔が固定される位置を調整し、台の上面に現れる鼻緒の長さを決める、
請求項１から４に記載の鼻緒および鼻緒付き履物。
【請求項８】
前記請求項１から４に記載される鍔挿入穴と鍔固定穴を有する鼻緒付き履物の台。
【発明の詳細な説明】
【技術分野】
【０００１】
本発明は、下駄や草履やサンダルなどの鼻緒付き履物にて、一般ユーザが特定の挿げ具を用いずに、素手で簡単に鼻緒を挿げ替えることが出来る鼻緒と、該鼻緒が挿げられる鼻緒付き履物の台と、該鼻緒と該台で作られた鼻緒付き履物などに関する。
【背景技術】
【０００２】
従来の鼻緒付き履物は鼻緒を台に挿げる際、挿げ具など専用の治具を用いたり、鼻緒を挿げるにおいて専門的なノウハウが求められ、製造工場で先に鼻緒を台に挿げて出荷するか、鼻緒付き履物を販売する店で台に鼻緒を挿げて販売したり修理する現状にある。
この状況では、ユーザは鼻緒および台の色柄の組合せを厳選して購入する必要があり、当初は良いと思って購入したものであっても、服装が変わると似合わず残念な思いをすることが多い。和鼻緒の下駄に多いのが購入当初は鼻緒がきつくて足が痛く、使い続ける間にゆるくなるパターンであり、足に合わなくなったり鼻緒が傷むなど、鼻緒を挿げ替えたい場合には専門の店へ依頼するしかない。
他方、顧客のニーズが多様化する現代においては、一般的な履物においてもオリジナリティーのある履物が求められており、近年では自分独自のオリジナル性を求めて購入後にデコレーションできる履物が一大ブームとなった。履物を使うときのシチュエーションやファッションに合わせて異なるイメージの履物を色々に持っておくことが理想であっても、家庭や家計の事情、保管場所やセンスがなくて決めかねる、ファッションコーディネートしたくても服装によって合う合わないがあるから無難な履物を少数使いまわすしかない状況の人も多い。そんな状況にあっても、履物にファッション性を求める人は個性的な飾りが付いていたり珍しい色やデザインの履物を持つことで自己主張をしたい人も多く、鼻緒付き履物においても、デザイン性が良く個性的でコーディネートし易い鼻緒付き履物があれば人々に喜ばれるし、購入後に一般ユーザ先においてイメージチェンジできる履物があればなお更理想的で、鼻緒付き履物の台や鼻緒を簡単に交換したり挿げ替えられる必要性が、潜在的に発生している状況にある。
【０００３】
特許文献１（特開平１１−１６４７０９）は特定の挿げ具を用いずに、一般ユーザが鼻緒を簡単に交換可能とする先行技術である。
特許文献１では、鼻緒の前緒に第１係止具と第１保持体を設けてねじ止めで基台に固定し、鼻緒の後緒については第２保持体に長さの異なる位置で係脱可能な係止片を設けて、後緒の先の係止片を係止することで鼻緒を基台に固定するとともに鼻緒の長さ調整を可能としている。これにより一般ユーザでも鼻緒を挿げることを可能にし、係止片を掛ける位置で鼻緒の長さ調整も可能である。
しかしながら、本方式は基台の穴に鼻緒を通しただけでは鼻緒の端が基台の裏側には留まらず、後緒を固定するには基台を裏側に返してから行う必要があるため、固定作業の途中に鼻緒が表側へ抜け落ちてしまう可能性がある。
鼻緒の固定の仕方については、前緒だけを係止する場合はねじ止めで容易ではあるが、鼻緒が人の足で基台の表側へと引っ張られているときは基台裏側に設けた長溝に長形の袋ナットが嵌合していたとしても、履物を使用していないときは袋ナットが長溝から地面のほうへ抜け出る可能性があり、とかく雄ねじと雌ねじの組合せは振動により緩むものであるため確実な固定とは言えない。後緒においては、両側の緒を中央に引き寄せて第２保持体の係止片のフック状に輪（鼻緒の先の係止片）を引っ掛けねばならず、係止作業中に挿入したはずの後緒の片方でも表側へと抜け出れば手間取るし、フック状の先端に輪をかけるときに中央へと引き寄せる力が必要な割に、係止し終えた輪はフック状の係止の折り曲げ部に落ち着くしかないので、きつく締めたはずの鼻緒が微妙に少し緩んだ状態で基台に固定されて完了とせざるを得ない。
且つ、後緒を係止する第２保持体は基台の中央で両側の後緒に引き合いされる状態で鼻緒を係止するしかなく、２本の後緒は均等の長さで基台に固定されることになり、ユーザの足の甲の高さや変形などに合わせて後緒の左右の長さを別々に調整することはできない。
【０００４】
次に、特許文献２（特表２０１３−５０９２４６）は、一般ユーザにて特定の挿げ具を用いずに対応する履物の台に鼻緒（当文献ではストラップ）を簡単に挿げられる特徴を持っている。
しかしながら、特許文献２の鼻緒の端は各々複数の分離可能な形状で構成され、鼻緒の端（当文献の分離可能部）を一片ずつ数回に分けて操作しながら台の穴に挿入する必要があり、一片を穴に入れるごとに穴は窮屈になり、分離可能部を押したり引いたりしながら穴の定位置に分離可能部があるべき姿に形状を落ち着けるには時間を要し、履物の台に設けられた３つの穴に鼻緒を固定し終わるには「穴数×複数回の挿入」が必要で、鼻緒の固定作業に手間がかかる。
また、この鼻緒は形状が複雑になることから鼻緒の製造単価が高くなると同時に、台の前方に複数の穴を設けることでセット位置によって鼻緒の長さを変更できるとされているが、一般的に鼻緒付き履物の前方に、使われていない穴が見えるのは体裁が悪いうえに、負荷に耐えるだけの肉厚が複数の穴同士の間に必要なため、鼻緒は大雑把な長さ変更しかできないなど、いろいろな問題を抱えている。
【０００５】
また、特許文献３（実用新案昭５６−２８０４）は、ゴム素材の履物の台に鼻緒を挿げる（当文献では立てる）装置であり、一般的にビーチサンダルなどに用いられる鼻緒とその台が図示されている。大きな円形である鼻緒の突出部を装置で挟持し、台に設けられた小さな穴に機械の力で押し込むことによって、大きな鼻緒の端は台の小さな穴から抜け出ることができず鼻緒が台に固定される。
ゴム素材など適度に柔軟性がある台に鼻緒の端を押し込むには、鼻緒の端が台の穴より大きくても、台の穴が横に押し広げられて機械的な力も相まって鼻緒を挿げて固定されるわけだが、いったん台に挿げられた鼻緒は安全性のためにも容易には抜けないように設計されているため、履物には鼻緒を取り付けた状態で販売するしかないのが実状である。この鼻緒を交換する必要があったとしても、強大な力で何とか鼻緒を引き抜けたとしても台の穴が破損または広がって再び鼻緒を挿げられないし、鼻緒自体は千切れるか器具で端を切り離すしかなく、履物の台や鼻緒は再利用することが困難である。
本発明はこれらに対して、生産性のある簡単な構造の鼻緒形状と、鼻緒付き履物の台にて、一般ユーザで簡単に鼻緒の挿げ替えが行える構造を提供するものである。
【先行技術文献】
【特許文献】
【０００６】
【特許文献１】特開平１１−１６４７０９
【特許文献２】特表２０１３−５０９２４６
【特許文献３】実用新案昭５６−２８０４
【発明の概要】
【発明が解決しようとする課題】
【０００７】
鼻緒付き履物の鼻緒は、一般的にはユーザ側で鼻緒を挿げることが難しく、履物屋に履物を持ち込んで挿げるのが常である。つまり、いま市場に出回っている鼻緒付き履物は、鼻緒を台に挿げる場合には挿げ具と称する独特な治具を用いたり、専門職の勘で鼻緒の長さの調整をしながら鼻緒を固定する特殊な技術を要する環境にある。
先行資料の特許文献によれば、ユーザで鼻緒が挿げられる発明品もあるようだが、その構造は複雑で、素人が鼻緒を挿げるにはまだ難しさが残っているようである。
【０００８】
特に、鼻緒付き履物の鼻緒と台は一般ユーザに対して個別に販売される状況では無く、履物屋で気に入る鼻緒と台を指定してオーダーメードで挿げてもらうか、既に鼻緒が挿げてある鼻緒付き履物の完成品の中から、見た目と履き心地などを考慮し、出来上がった履物から選んで購入して履く環境にある。一般ユーザは外出先や服装など、そのシチュエーションやファッションに合わせて履物もコーディネートしたい気持ちがあっても、日常に使う靴などを優先する必要があるし、家庭や家計の事情、保管場所がないなどの理由もあって、鼻緒付き履物を色々なバリエーションでそろえることは諦めざるを得ない。
【０００９】
また、靴などは色々な足のサイズに対応しており、シューズの紐や留め具の締め具合で、各自の足の甲の高さや足幅にフィットさせる機能を持つ履物がある。鼻緒付き履物についても鼻緒の長さを調整する先行技術はあるが、人間の足の甲は内側と外側で高さが均等ではないし、左右の足のサイズが違う人もいれば変形している人もいて、鼻緒の一般的な形状からして足の内側と外側に沿う鼻緒長さは均等であるため、ユーザ毎の足の特徴に合わせて鼻緒の長さを前緒と後緒の各々で調整できれば理想的である。
【００１０】
鼻緒付き履物の台や鼻緒に柔軟性がある例えばビーチサンダルなど、歩行時の負荷で台から鼻緒が不用意に抜けないよう、鼻緒の端は台の穴より約２倍強の大きさで作られており、先行資料の特許文献３のような専門的な挿げ具を用いなければ台に鼻緒を挿げることができない。万一この鼻緒を台から引き抜く力が掛かったときは、台の穴が広がったり亀裂が入り、鼻緒が千切れるなどの損傷が起きて、その鼻緒や台は再び使うことが出来ないのが現状である。
人の手で挿げられる鼻緒として先行資料の特許文献２の履物があるが、複数の分離片を複数回の操作で台の一つの穴に鼻緒の端を入れていくのは複雑で面倒な作業である。鼻緒付き履物には通常３つの穴に鼻緒の３つの端を挿入しなければならず、ユーザにとってわかり易く手間の少ない作業で台に鼻緒を着脱可能とするためには、台に挿げる鼻緒の端の各々が、一つの穴に１回の操作で着脱可能とするのが望ましい。
また、先行資料の特許文献１のように、台の穴に鼻緒の端の各々は１度の操作で挿入できるとしても、台の表側から挿入する鼻緒の端が台の裏側で速やかに固定されるわけではなく、台の穴に挿入した鼻緒の端を台の裏側で固定する作業が必要で、その操作途中で鼻緒の端が台の表側へと抜けだして手間取る可能性がある。
以上のように、一般ユーザが鼻緒付き履物の鼻緒着脱を行うには、まだ色々な課題が残っている。
【課題を解決するための手段】
【００１１】
これらの課題を解決するにあたって、ゴム材やＥＶＡ素材など適度に柔軟性がある履物の台に、同じく適度な柔軟性を持つゴム材や樹脂製の鼻緒を挿げてある鼻緒付き履物、主に市販品でいえばビーチサンダルやクッション性のある下駄の場合。
本願の発明では、鼻緒の端をひねって鼻緒付き履物の台に素手のひと押しで挿入できるように、鼻緒の端の鍔を従来の円形から長形にする。台には断面が「凸」の字の形状に見える穴を設け、上の小径が鍔挿入穴で下の大径を鍔固定穴と称して説明すると、鼻緒の端の鍔は端面を長形として側面から見れば「Ｔ」の字の形状で成形し、鼻緒を台に挿げるときには、鍔をひねって一時的に「イ」の字の形状に鍔を首部に沿わせて押し込むことで、クッション性のある鍔挿入穴に素手で鼻緒の端を挿入できる。小径の鍔挿入穴を「イ」の字の形状で通り抜けた鼻緒の端は、大径の鍔固定穴に入りきることで鍔は本来の「Ｔ」の字の形状に戻り、凸状の大径と小径の段差に鍔が引っかかり鼻緒は容易に台から抜けなくなるので、鼻緒は素手のひと押しで台に挿げて固定ができる。
【００１２】
また、台が木製など硬い材質であり、ＥＶＡ素材のように一時的に鍔挿入穴が広がるような変化が起きない材質の台の場合は、台の鍔挿入穴の形を鍔と同様の長形とし、ただしその向きは本来の鼻緒を挿げ終えたときより９０度回転させた向きで開口し、その鍔挿入穴に連結している鍔固定穴を、本来の鼻緒を挿げ終えた向きで設けておく。
鼻緒を台に挿げるときは、鼻緒の端を本来の向き（挿げ完了時の向き）より９０度ひねって鍔挿入穴に入れて、台の裏側に鍔が突出した後に、鼻緒の端を本来の向きに戻して鍔固定穴に鍔を導き設置すれば、鼻緒は素手で台に挿げて固定されることになる。
【００１３】
次に鼻緒を台から外すときには、台をＥＶＡなどクッション性のある素材で作り、鼻緒をポリ塩化ビニール（ＰＶＣ）など外力を加えれば曲がる素材で作っていれば、強引に鼻緒を台から引き抜くように操作することで、ＥＶＡ素材の鍔挿入穴は一時的に広がり、鼻緒の端の鍔は「ヘ」の字の形状に湾曲して、台から鼻緒を外すことが可能となる。
この強引に抜く力と、履物を使用する時に加わる力とのバランスを予測して、鼻緒の鍔の厚さと大きさ、そして鍔や首の柔軟性および台の鍔挿入穴のサイズを適切に確保して商品を設計しておけば、鼻緒付き履物を使用するときには問題なく、鼻緒を交換するときには人間の素手の力で強引に抜いても、鼻緒や台にダメージは残らず再利用する（再度鼻緒を台に挿げる）ことも可能となる。
【００１４】
また、台が木製など硬い材質で鼻緒の鍔と同様に長形の鍔挿入穴を設けている場合、鼻緒を台から外すには、鍔固定穴に収まっている鍔を台の裏面に押し出し、意図的に鼻緒の端を９０度回転させて、鍔を鍔挿入穴の向きに導くことで簡単に鼻緒を外すことが可能となる。
一般に鼻緒付き履物を履いている時に、鼻緒の向きが本来の向きから勝手に９０度回転することはあり得ず、意図的に鼻緒を着脱する動作をしない限り鼻緒は台から外れない。
【００１５】
このように、鼻緒の端の鍔の形状を長形にして、鼻緒付き履物の台の鍔挿入穴および鍔固定穴を鼻緒の鍔が挿入し易いように、固定でき易いように準備することで、本願発明の目的とする素手で鼻緒の着脱と固定が可能となる。
なお、後に説明する実施例１にて鍔挿入穴および鍔固定穴の形状を丸型にしたのは、ＥＶＡ素材の台の製造加工性が良いためでもあり、ＥＶＡのクッション性で鼻緒の着脱が容易なために用いた形状である。
実施例２の長形穴は、ＥＶＡのような柔軟性が無い硬い材質の台の場合でも、鼻緒を素手で台に着脱するもう一つの実現手段である。
【００１６】
さらに本願発明では補強部材を準備する。
鍔固定穴を丸型で設けた場合に長形の鍔がこの空間の中で遊ぶこと、および鼻緒の柔軟性により鼻緒が鍔挿入口より不用意に脱出することを防ぐため、補強部材を用いることで鼻緒は確実に強固に固定される。
補強部材は一般ユーザでも扱い易くするために、鼻緒の端の鍔を容易に囲うことが出来る構造で準備し、鼻緒を台に挿げた後に鼻緒の端に取り付けて鍔固定穴に格納することで、鼻緒の鍔が湾曲することを防ぎ台から安易に抜けることがなくなる。
この補強部材は鼻緒の首部をまたいで差し込む開口部を待ち、鼻緒の鍔の少なくとも三面を囲むことで首部に対して鍔をＴ字型に固定することができ、鼻緒を台から引き抜く力が掛かっても鍔が湾曲するのを防ぐことで、鼻緒が台から抜けないよう鼻緒の端の固定状態をさらに補強する。
この部材はポリカーボネート（ＰＣ）、ポリプロピレン（ＰＰ）、ＡＢＳ樹脂、金属など硬い部材で構成させることで、台や鼻緒の柔軟性による鼻緒の脱出を防ぐための補強になる。
【００１７】
また、本願発明では前緒、後緒の各々で鼻緒の長さを調節できる調整部材を準備する。
台に挿げた鼻緒の鍔が鍔固定穴に収まるとき、鍔と台との間に調整部材を差し込むことで、鼻緒付き履物の台の表側に現れる鼻緒（人の足の上に見える部分）の長さを調整可能となる。調整部材は鼻緒付き履物の鼻緒の前尾、右後緒、左後緒それぞれに装着でき、鼻緒の左右を別々の長さに調節することが出来るので、人の足の各々の形に合わせて鼻緒の長さを調整することが可能となる。
なお、この調整部材は上記補強部材の厚さを色々な厚さで提供することでも可能である。
【００１８】
このように、本願発明では素手で鼻緒を台に着脱して固定できる新たな発想の鼻緒付き履物を提供可能とし、専門の知識がなくても安全な鼻緒固定ができる補強部材と、各自の足の形に合う鼻緒の長さ調整を可能にすることで、従来通り鼻緒付き履物を組立てた状態で販売するのはもちろんのこと、鼻緒だけの販売および、その鼻緒を利用する鼻緒付き履物の台だけなど、個々の販売形態も可能とし、ユーザ自身が好みの色の台にその時の気分やファッションに合わせた鼻緒を挿げて履物を楽しめるよう、新たな鼻緒付き履物とその販売形態を提供可能とするものである。
【発明の効果】
【００１９】
本発明により履物の台の挿入穴に鼻緒を挿げるには、人間の素手で鼻緒の各端をひねって、ひと押しするだけで鼻緒を台に挿げることが可能となり、鼻緒の鍔が鍔固定穴に収まることで鼻緒が台に固定されるため、台の壺３か所に対して３回の操作を行うだけで、鼻緒を台に挿げると同時に鼻緒を台に固定することができる。このような操作の作業性は先行技術として引用した特許文献１または特許文献２では得られない効果である。
また、この時の鼻緒の鍔の形状は、側面から見れば単にＴ字型の一体物で鍔を長形状に構成すれば良く、鼻緒の形状が簡単な構造なので製造単価も安く、量産性に優れた鼻緒を提供することが可能となる。
特に台が独立気泡発泡スポンジ（ＥＶＡ）など硬い材質でありながらクッション性もある素材であり、鼻緒をポリ塩化ビニール（ＰＶＣ）など適度に柔軟性のある素材で構成されている場合、鼻緒の端を一時的に素手の力でひねることは容易であり、台の挿入穴は押し込む力で多少広がるため、その鼻緒の端を台に準備している鍔挿入穴に通すことは女性の力でも可能である。そして、その鍔挿入穴に連結している鍔固定穴に鍔をはめ込んだら、それだけで鼻緒の端の鍔は本来の形状に戻ることで台に固定される。つまり、鼻緒の端は２本の横緒でがっており、人が履いて歩くためには台の表側（人の足が載る側）に引っ張られることになるので、挿入口側へと鍔が引き戻され、鍔挿入穴に連結している鍔固定穴との段差に鼻緒の鍔が常に引っかかり容易には抜けなくなるので、鼻緒は台に挿げられた状態で固定されることになる。
さらに、本願の実施例１では独立気泡発泡スポンジ（ＥＶＡ）よりもさらに硬い素材であるポリエスタールまたはＡＢＳなどの樹脂や金属などで補強部材を準備し、鼻緒の端の鍔を囲うことにより鍔の変形を防ぎ、鼻緒は鼻緒の端や台の鍔挿入穴や補強部材を破損する力が加わらない限り抜けなくなるので、安心して履物を使用することができる。
【００２０】
台から鼻緒を取り外したい場合は、ポリ塩化ビニール（ＰＶＣ）などの樹脂には適度な柔軟性があるため、強い引っ張り力がかかれば、長形の鍔は「へ」の字型に湾曲して、鍔挿入穴より引き抜くことができる。
本願に記載の補強部材で補強して鼻緒を台に固定している場合には、鼻緒を台の表側から裏側に向けて押し込み、台の鍔固定穴から露出した補強部材を鼻緒の端から外した後、鼻緒を台の表側へと一気に引き抜くことで鼻緒の取り外しが可能である。この場合、台が独立気泡発泡スポンジ（ＥＶＡ）の場合には、硬い材質ではあるがクッション性もあり、外力が加わると鍔挿入穴が適度に広がるため、女性の一般的な力でも鼻緒を引き抜くことが可能となる。
【００２１】
また、本願の実施例２では木製など、人の力では変形させることが困難な硬さの素材で構成された鼻緒付き履物の台に、本願発明の鼻緒を装着する場合の例を示しているが、鼻緒付き履物の鼻緒本来の向きとは異なる約９０度回転した方向で鼻緒を挿入できるように台に長形の鍔挿入穴を設け、台に鼻緒を挿げた後で本来あるべき鼻緒の向きに戻して鍔固定穴に鍔を導くことで台に鼻緒を固定する。
実施例２で鼻緒を台から外す場合には、鼻緒の端を台の裏側へと押し込んで鍔固定穴から鍔を出し、鍔挿入穴の向きに回転（例えば９０度の回転）させ鍔挿入穴へと導いて引き出せば鼻緒を台から外すことができるので、人間の素手の力で容易に鼻緒の挿げ替えが可能となる。
【００２２】
このように、鼻緒の端の３つの鍔はすべて、鼻緒の端を人の手でひねって挿入し、本来の向きに戻して鍔固定穴に導くことにより鼻緒を台に固定するので、台の挿入穴の３か所に３回の操作で鼻緒の３ヶ所の端を挿入して固定でき、専門知識のないユーザにも簡単に鼻緒の交換が可能になり、意図的に鼻緒を外そうとしない限り通常の使用時には鼻緒は台から外れることは無い。且つ、台や鼻緒の柔軟性を考慮して固定をさらに補強するにも、鼻緒の鍔を台の裏側に押し出した状態で補強部材を鼻緒の端に差し込み、鼻緒を台の表側へ引き上げて、鍔を囲った補強部材を再び鍔固定穴に収めるだけで、鍔の柔軟性による変形を防ぎ、さらに強固に鼻緒が台に固定される。これもまた一般ユーザには非常に扱いやすく、鼻緒を容易に交換できる鼻緒付き履物を提供できる。
鼻緒を台から外すときも、引き抜くだけの簡単操作、または鍔固定穴から鍔挿入穴の向きに鼻緒の端を回転させて引き上げるだけなので、特別なマニュアルがなくても直感的に操作がし易い構造となっている。
【００２３】
本願鼻緒の一例としてポリ塩化ビニール（ＰＶＣ）などの樹脂で鼻緒を準備することは、先に述べたように人の手で鼻緒の端をひねる柔軟性を持ち合わせていることで、本願の目的である素手のひと押しで鼻緒を台に着脱可能な扱いやすさがあると共に、鼻緒そのものが成形品なので多様な色で大量生産が可能であり、尚且つ成型当初とは違う色や新たな柄を、この鼻緒にはプリントすることが可能である。
和風洋風の柄はもちろん、写真や布地のスキャンデータを鼻緒に印刷することも可能なので、例えばビーチサンダルの鼻緒に水着の生地の柄をプリントしてお揃いにすることもできれば、盆踊り大会にチーム名とマークをプリントした鼻緒を挿げた下駄で参加するといったオリジナリティーあふれる鼻緒付き履物を提供することが可能となる。
ユーザの望みに合わせて多彩な色柄を自在にプリントできる鼻緒と、それを挿げて履く台を個別に供給でき、それらを好みや必要に応じて組合せを替えることがユーザの手によって容易に行うことが出来れば、新たな鼻緒付き履物の楽しみな使い方が発生する。
【００２４】
また本願発明には、補強部材の厚みを変えたり調整部材を用いることによって、台の中で鼻緒の端を固定する位置を浅くしたり深くしたり調整可能としている。これによって、鼻緒付き履物の台の表に現れる鼻緒の長さをユーザが簡単に調節できるので、各ユーザの足の甲の高さや足幅、足袋の装着による足の形などに合わせて、鼻緒の長さを自由に調節することで使い勝手が非常に良くなる。
人間の足の甲は内側と外側で高さが均等ではないし、左右の足のサイズが違う人もいれば変形している人もいるが、一般的な鼻緒の形状は足の内側と外側に沿う長さが均等に作られており、ユーザ毎の足の特徴に合わせられないのが常である。本願の履物のように、鼻緒の端を固定する台の３か所の穴の各々で、調整部材を用いることで鼻緒の長さを調節できるようになれば、鼻緒の後緒のそれぞれの長さを個別に調節することが出来るため、片足の内側とその外側で緒の長さを変えて足にフィットさせることが出来る。これは足の変形や特徴に合わせることはもとより、鼻緒の各々の端で長さ調節出来ることで、例えば婦人の足のサイズで２１ｃｍから２５ｃｍくらいの足サイズがあるとして、２種類くらいの長さの鼻緒を準備するだけで、あとは調整部材によって鼻緒の長さを調節するだけで２１ｃｍから２５ｃｍの足サイズに対応することが可能となる。
【００２５】
本願発明は、鼻緒付き履物の鼻緒に特徴があり、それに対応する形で鼻緒付き履物の台が準備されることで、商品の販売方法としては、従来通りのセットされた鼻緒付き履物としての販売はもちろんのこと、鼻緒を自由に交換可能な鼻緒付き履物として、台単体の販売や鼻緒だけの販売も可能となる。
これにより、ユーザは一つの台を持っているに過ぎなくても、鼻緒の交換により多数の雰囲気の履物を持っているに等しくなり、台の色や形が違うものを持っていれば、複数の台と複数の鼻緒の組合せにより、数倍の雰囲気が違う鼻緒付き履物を好みで使い分けることが可能となる。
台と鼻緒を個別に提供できるようになることは、多彩な色や模様や形の鼻緒、および色々な色柄や形の台を購入して組み合わせることにより、ユーザは自由に自分好みの組合せで履物をセッティングすることができ、服装のタイプや色柄そして外出先など、その時々のシチュエーションに合わせて履物を自由にカスタマイズする楽しみがある。素手で鼻緒が交換できるということは、例えば昼は洋装でカラフルな鼻緒を挿げた履物を、夜にはシックな鼻緒に交換して和装に合わせるなど、外出先に鼻緒を数本持参して交換することにより、その状況に合う履物の台と鼻緒の組合せにユーザの手で交換することで、一つの履物の台で複数の履物バリエーションを演出することができる。
特に鼻緒付き履物としては、代表的な下駄から草履、雪駄、サンダルなど色々な履物があり、これら色々なジャンルの台に対して、ジャンルを超えて共通の鼻緒を使うことも可能であり、本発明によってユーザ側で鼻緒が簡単に挿げ替えられる新感覚の鼻緒付き履物を提供することが可能となる。
【図面の簡単な説明】
【００２６】
【図１】本願発明の鼻緒の斜視図
【図２】実施例１の鼻緒付き履物の斜視図
【図３】実施例１の鼻緒を挿入抜出の説明図
【図４】実施例１の鼻緒付き履物を裏から見た説明図
【図５】実施例１の補強部材、調整部材の説明図
【図６】実施例１の補強部材一体型の説明図
【図７】実施例１の鼻緒挿げに関する従来品との比較と測定の説明図
【図８】実施例２の鼻緒付き履物の斜視図
【図９】実施例２の鼻緒を挿入抜出の説明図
【図１０】実施例２の鼻緒の挿入抜出の詳細と調整部材の説明図
【発明を実施するための形態】
【００２７】
鼻緒の端の鍔を従来の丸型ではなく長形にし、各端をひねって、台の鍔挿入穴に入れる鼻緒の端のサイズを一時的に小さくすることで、人間の素手のひと押しで鼻緒を台に挿げることを可能とし、素手の引き抜く力で鍔が湾曲して鼻緒を台から外すことが出来る鼻緒とそれを挿げる台。
その鼻緒の柔軟性を補って台に鼻緒を確実に固定するための補強部材を持ち、さらに台の表で足の上に現れる鼻緒の長さを調節することが出来る調整部材を持つことで、鼻緒と台の組合せを容易に交換可能でありながら鼻緒を確実に台に固定し、尚且つ鼻緒の長さ調整も可能とした実施例１の形態。
および、鍔と同様に長形の鍔挿入穴を設けた台に、鼻緒の端をひねって鍔挿入穴に合わせて鍔を入れ、その穴に連結し角度を変えて設けた鍔固定穴に鼻緒の鍔を導くことで鼻緒を台に挿げ、鼻緒を台から外すときは鍔固定穴から鍔を出して鼻緒の端を回転させ、鍔挿入穴に導くことで鼻緒を台から外せる実施例２の形態。
これら鼻緒と台の組合せを容易に変更できるように、人間の素手の力で鼻緒を台に挿入抜出できるとともに、柔軟性のある鼻緒や台を確実に固定する補強部材、および鼻緒の長さを変更する調整部材を有する鼻緒および鼻緒付き履物を提案する。
【００２８】
本願の鼻緒を挿げる対象物として、２種類の鼻緒付き履物の台の構造を本願発明の説明では行っている。
実施例１の発明は鼻緒付き履物の台を独立気泡発泡スポンジ（ＥＶＡ発泡）のように、ある程度硬いがクッション性も保持している素材で、外力が加われば局部的に多少の変形が可能な柔軟性があり、力を加えなければ復元性のある部材を使った場合の実施例である。
また実施例２の発明は、鼻緒付き履物の台を木製などさらに硬質な部材で製作したときの実施例である。
なお、実施例１も実施例２も一つの事例として説明しているが、各々の部材は実施例に記載した部材の特性に本願鼻緒の構造上の特徴が生かされ、同じ効果が生まれるものであれば、実施例に記載の部材に限定されるものでは無い。
【実施例】
【００２９】
図１は本願発明の鼻緒を説明した図である。
図１にて鼻緒（２）は足の親指と人差し指の間に挟み込む前緒（２１）と左右２本の横緒（２２）とその先に左右の後緒（２３）が設けられ、本願発明の鼻緒（２）はこの前緒（２１）と後緒（２３）の端に、Ｔ字型の一体物で設けられる鍔（２４）の端面形状を長形にすることで、鼻緒の端の各鍔を人の素手でひねって台に挿入可能にして鼻緒を台に固定するものである。
ここでいう鍔の端面形状が長形とは、鼻緒（２）の３か所の首部（２５）の先に側面から見たら「Ｔ」の字の形状に鍔（２４）が一体物で成型されており、「Ｔ」の字で例えるなら上の面、図１でいえば下から見た鼻緒の末端部分の面の形状が長形である。
この鍔は従来品の鼻緒（ビーチサンダルなど）では丸型で作られているものが多く、挿げ具などの冶具で一気に台の小さな穴に挿げて固定するものである。小さな穴を通過した鍔は歩行時にも抜けない安全性があるが、挿げ具などの冶具を使わず人の素手で鼻緒を台に挿げることはできない。本願の鍔（２４）の詳細については、後の図３の説明および実施例１の最後にさらに詳しく説明する。
ちなみに、本願の鼻緒（２）はポリ塩化ビニール（ＰＶＣ）などで作られ、その柔軟性から前緒（２１）の端や、後緒（２３）の端を人の素手でひねることが出来る部材で製作をしているが、鼻緒の端を素手の力でひねることができ、且つ外力が加わらない場合は鍔が元の形状に自然に復元する部材であれば、鼻緒の端の部材は何でも良い。
本願発明はこの鼻緒の端の鍔（２４）によって、後の図２で述べる鼻緒付き履物の台の鍔挿入穴に、鼻緒の端の各鍔を人の素手でひねって台に挿入して、台に固定可能とする鼻緒の発明であり、この鼻緒を挿げた鼻緒付き履物、またはこの鼻緒付き履物の台である。
余談ではあるが、ポリ塩化ビニール（ＰＶＣ）で製作した鼻緒は、鼻緒そのものが成形品なので多様な色で大量生産が可能であり、尚且つ成型当初とは違う色や新たな柄をプリントすることが可能で、ユーザの好みに合ったデザインで多彩な色柄のプリントを施した鼻緒を提供することができる。
専門の鼻緒挿げ具や冶具を使うことなく素手で鼻緒を挿げて固定が出来るようになれば、一人のユーザが一つの鼻緒付き履物に対していろいろなデザインの鼻緒を複数持ち、そのときの気分やファッションコーディネートなど鼻緒付き履物を履くシチュエーションに合わせて、都度ユーザが自分の手で鼻緒を簡単に交換し、一つの鼻緒付き履物を複数の異なるイメージの履物として楽しむことが可能となる。
【００３０】
鼻緒付き履物というと下駄やビーチサンダルが一般的であり、本願では下駄の台をイメージした図で説明している。これらの履物は購入時にセットされている鼻緒と台の組合せで履き続けるのが一般的であり、傷んだり飽きたりサイズが合わなくなって履けないなどの理由で次の履物を入手するが、購入当初には良いと思った履物の色柄がどんな色柄の服装にも似合うわけではなく、人によっては複数の履物を購入したり、１足で我慢して履き続ける人はファッションコーディネートの要素を履物には求めなくなっている場合が多々ある。
本願はこれら下駄やビーチサンダルなどの鼻緒を、素手でいつでも交換できるようにすることで、例えば週末に出かけた海水浴場では、水着とおそろいの色柄をプリントした鼻緒を挿げた履物で海岸を歩き、その夜の花火大会には浴衣姿に着替えて、和風柄の鼻緒に挿げ替えた履物で花火を見る、といった使い方を可能にするものである。このように一人で一つの台と複数の鼻緒を持つことで、服装やその時の気分で鼻緒を変更して、いろいろな印象の鼻緒付き履物をシチュエーションに合わせて使うのも楽しみなことであり、もしも形や色が違う台を持っていれば、鼻緒と台の色柄の組合せは数倍に膨らむ。また例えば家族で、または友人と同種の履物を購入する場合には、複数の鼻緒を交換したり貸しあったりすることで鼻緒と台の色柄の組合せは何倍にも増えて、気分やシチュエーションに合わせて服装とコーディネートする楽しみとともに、共通の履物をいかに恰好よく組合せているか見せあったり、ファッションコーディネートやバリエーションアイデアの話題に盛り上がるなど、コミュニケーションの活性化にもなり得るものである。
【００３１】
図２は実施例１の鼻緒付き履物（１）の斜視図である。
図２に示すように、実施例１の鼻緒付き履物（１）は図１の鼻緒（２）を着脱するための台（３）と、必要に応じて用いられる補強部材（４）で構成されることを図で示している。
鼻緒付き履物（１）の台（３）には、鼻緒（２）の前緒（２１）と２つの後緒（２３）を挿げるための、断面が「凸」の字に見える形状で大小の連なる丸穴が設けられており、小径の穴は鼻緒（２）の端の鍔（２４）を挿入するための鍔挿入穴（３３）であり、その下の大径の穴は鼻緒（２）の端の鍔（２４）を格納して固定する鍔固定穴（３４）である。
本発明では鼻緒をポリ塩化ビニール（ＰＶＣ）で製作し、台は独立気泡発泡スポンジ（ＥＶＡ発泡）で作っている。
図２ではさらに独立気泡発泡スポンジ（ＥＶＡ発泡）より硬い材質であるポリカーボネイト（ＰＣ）、ポリプロピレン（ＰＰ）、ＡＢＳ樹脂や金属などで作られた補強部材（４）を用いて、鼻緒（２）の３か所の鍔（２４）を台（３）の３か所の鍔固定穴（３４）でさらに固定する関係を図示している。なお、補強部材（４）は補強部材本体（４１）と補強部材蓋（４２）で構成されるが、詳細は図５および図６にて説明する。
【００３２】
図３は、図２の鼻緒（２）の端の鍔（２４）を台（３）に挿げるときの説明と、鼻緒（２）の端の鍔（２４）を台（３）から抜き出すときの説明を示したものである、
図中の（３−１）は、鼻緒（２）の端に「Ｔ」字型で連なる端面が長形の鍔（２４）を縦にひねって首部（２５）に沿わせ、台（３）の鍔挿入穴（３３）に挿入するときの様子を示した図である。
本発明の鼻緒（２）はポリ塩化ビニール（ＰＶＣ）など柔らかい樹脂を成形して製作しており、鼻緒（２）の端の鍔（２４）を図のように折り曲げることが可能である。これによって、鼻緒（２）の端は縦長形状に一時的に変形させることができ、人の素手の力で容易に台（３）の鍔挿入穴（３３）に鍔（２４）を挿入することが可能となる。そして、一旦挿入が出来た鍔（２４）は、台の鍔挿入穴（３３）に連なって設けられた鍔固定穴（３４）の中で、元の「Ｔ」字型の形状に戻って鼻緒（２）を台（３）に固定することが可能となる。
従来のビーチサンダルなど鼻緒付き履物の鼻緒は、本願でいう鍔（２４）の端面形状が円形のものがほとんどであり、専用の鼻緒挿げ具などの治具を用いて強力な力で小さな穴に鍔を一気に通すことで鼻緒を台に挿げている。円形の鍔は、小さな穴（本願でいう鍔挿入穴）を容易には通らないため鼻緒が抜けにくい鼻緒付き履物に仕上がっている。この従来通りの円形の鍔であれば、本願の鼻緒のように例えポリ塩化ビニール（ＰＶＣ）など柔らかい樹脂で成形して鍔を一時的にひねったとしても、丸い鍔はどの方向にひねっても同一の直径があるため本願のように鍔挿入口に対して鼻緒の端を一時的に細長くすることはあり得ない。
本願の鍔（２４）は長形に準備することで、長手方向は鍔が抜けにくい従来品の鍔の直径サイズを確保し、短い方向で鍔が穴に通りやすい状況を確保することにより、鼻緒（２）の端の鍔（２４）を（３−１）のように縦長方向にひねって首部（２５）に沿わせて一時的に鼻緒（２）の端を細くすることで、鍔挿入穴（３３）に挿入し易くすることが可能である。また、後で述べる（３−２）のように鼻緒（２）を台（３）から引き抜く折にも、本願の鍔（２４）のように一時的に「ヘ」の字型に変形させることは、従来品の円形の鍔には得られない状況であり、鍔（２４）を長形にすることで鼻緒（２）を台（３）に対して、素手で挿入可能および素手の力で引き抜くことが実現可能となる。
なお、ここでは鼻緒（２）の端から鍔（２４）の材質をポリ塩化ビニール（ＰＶＣ）で説明をしているが、鼻緒（２）の端をひねるなどの変形をさせて鍔（２４）を台（３）の鍔挿入穴（３３）に挿げて、その後自然に元の形状に戻る部材であれば鼻緒（２）の端から鍔（２４）の部材は他の部材でも何ら問題は無い。
【００３３】
図３の（３−２）は、挿げられた鼻緒（２）の鍔（２４）を台（３）から引き抜く場合の様子を示した図である。
鼻緒（２）の鍔（２４）の部材はポリ塩化ビニール（ＰＶＣ）で製作され、台（３）は独立気泡発泡スポンジ（ＥＶＡ）のように、ある程度硬い部材だがクッション性も保持しており、局部的には指で押せば適度に穴が広がる柔軟性のある部材で構成されているため、一般的な人の力でも鍔固定穴（３４）から鍔挿入穴（３３）に向けて鼻緒（２）を引っ張ることで、鍔（２４）を一時的に「ヘ」の字型に変形させることが可能であり、台（３）の鍔挿入穴（３３）も一時的に鍔の引き抜き力で横に押されて穴が広がり、鍔挿入穴（３３）から鍔（２４）を素手の力で引き抜くことが可能となる。
つまり、台（３）の鍔挿入穴（３３）の径（台のクッション性による穴の広がり径も鑑み）を、鍔（２４）が「ヘ」の字型に変形した時の大きさが通過できるサイズにし、鼻緒（２）の鍔（２４）の部材選びと台（３）の部材選びが適切であって、台（３）の鍔挿入穴（３３）の径と、鼻緒（２）の鍔（２４）の寸法を決定することにより、鼻緒（２）を台（３）から素手で引き抜くことが出来る。
例えば、台（３）の鍔挿入穴（３３）の径を（Ｌ１）とし、鼻緒を抜くときに鍔挿入穴が台（３）の部材の柔らかさにより（＋α）広がるとしたとき、鼻緒を抜くときの鍔挿入穴（３３）の径は一時的に（Ｌ１＋α）ということになる。鼻緒（２）の鍔（２４）についても、人の素手で鼻緒を引き抜くとき、鍔が「ヘ」の字型に変形して鍔挿入穴（３３）を通るときに、この鍔（２４）の対角寸法が（Ｌ１＋α）になることで、鼻緒（２）の鍔（２４）を台（３）から引き抜くことが可能となる。
実施例１では、ポリ塩化ビニール（ＰＶＣ）で鼻緒全体を成形して製作し、台（３）は独立気泡発泡スポンジ（ＥＶＡ）に鍔挿入穴（３３）を開けてこれを実現している。なお、鍔固定穴（３４）の径は、長形の鍔（２４）が「ヘ」の字型に変形しない本来の状態の対角線の長さより大きな径とし、図２の台（３）の前壺（３１）および後壺（３２）を構成している。
【００３４】
ここまでの説明で、鼻緒（２）が台（３）に一般的な人の力で挿げたり外したり出来る様子を説明したが、歩行時の負荷などで挿げた鼻緒（２）が台（３）から不用意に外れなくするために、さらに固定を補強しておくのが好ましい。このために図２で説明した補強部材（４）を用いて鼻緒（２）が台（３）に挿げられた後、補強部材（４）で鼻緒（２）の鍔（２４）を台（３）の鍔固定穴（３４）の中で確実に固定する工夫が求められる。そのための補強部材（４）を用意するとともに、台（３）の表側に現れる鼻緒（２）の長さをユーザの足の形やサイズに合わせて調節可能とする調整部材を提案する。
図４は補強部材（４）を台（３）の鍔固定穴（３４）の中で使用する鼻緒付き履物（１）を裏から見た斜視図であり、図５はこの補強部材（４）の使い方を説明した図、およびさらに鼻緒（２）の長さを調整する調整部材（５）を説明した図である。
【００３５】
なお実施例１での補強部材（４）は、台（３）の部材である独立気泡発泡スポンジ（ＥＶＡ）より硬いポリカーボネート（ＰＣ）、ポリプロピレン（ＰＰ）、ＡＢＳ樹脂や金属などの部材で製作することにより、台（３）に挿げた後の鼻緒（２）の端の鍔（２４）を確実に固定し、鼻緒が台（３）から不用意に外れないように補強して固定することを目的とする。
ここでいう補強して固定とは、台（３）の鍔固定穴（３４）の中で鼻緒（２）の端の鍔（２４）が大きく遊離しないように補強することを意味している。（３−２）で説明したように、鼻緒（２）が引っ張られることにより鍔（２４）が「ヘ」の字型に変形することで鍔挿入穴（３３）から鍔（２４）を引き抜くことができるが、補強部材（４）は後に述べるように、鍔（２４）が「ヘ」の字型に変形するのを防ぐことで、台（３）から鼻緒（２）が離脱できないよう補強して固定をするものである。
また、実施例１の調整部材（５）は合成ゴム、天然ゴム、金属などの硬い固形物であって、所定の厚みを持つ部材を加工して作られたものであり、鼻緒（２）の端の鍔（２４）を台（３）の鍔固定穴（３４）の中でどれだけ沈めて固定させるか、鍔（２４）を固定する深さ位置を調整する目的の部材である。
補足として、実施例１の補強部材（４）、調整部材（５）は前記した部材で製作しているが、補強部材の目的として台（３）の鍔固定穴（３４）で鍔（２４）を補強して固定できるもの、調整部材の目的として鼻緒（２）の端の鍔（２４）を台の鍔固定穴（３４）の中で位置調整が行える部材であれば、上記で説明している各部材の名称には拘らない。
【００３６】
図４は実施例１の鼻緒付き履物（１）を裏から見た図であって、台の前壺（３１）に挿入された鼻緒（２）の鍔（２４）を補強部材（４）に組み込んだ図を示している。また右奥の後壺（３２）では、既に鼻緒（２）の鍔（２４）を補強部材（４）に装着し補強部材蓋（４２）が見えている後壺（３２）の状態を図示し、右手前の後壺（３２）では、まだ鼻緒（２）を挿げてなく補強部材も装填されていない状態の後壺（３２）を図示している。
もう少し詳しく説明すると、図４の台の前壺（３１）の鍔固定穴（３４）に挿げられている鼻緒（２）の鍔（２４）は、補強部材（４）の補強部材本体（４１）の鍔挿入口（４６）から差し込まれ、その鍔挿入口（４６）の空間が鼻緒（２）の首部（２５）を跨ぐ形で鍔設置部（４７）に鍔（２４）が配置される。そして補強部材蓋（４２）で上から覆うことで、鼻緒（２）の端が本来あるべき「Ｔ」字型になるよう鍔（２４）が囲われた状態で、鍔固定穴（３４）の中に補強部材（４）を収納している。
図４の右奥の後壺（３２）は、この補強部材（４）の中に鼻緒（２）の鍔（２４）を収納して、補強部材本体（４１）を補強部材蓋（４２）で覆い、鍔固定穴（３４）の中に補強部材（４）を収納し終わった状態を図示している。また右手前の後壺（３２）は、まだ鼻緒（２）の鍔（２４）を挿げる前の状態で、後壺（３２）の鍔固定穴（３４）が台の裏から見えている状態を示している。
【００３７】
次に図５の（５−１）、（５−２）で補強部材（４）の構造を説明し、（５−３）、（５−４）で補強部材（４）に鼻緒の端の鍔（２４）を装着する説明をする。さらに（５−５）、（５−６）には補強部材（４）と台の間に入れて鼻緒の長さ調整をする調整部材（５）の説明をする。
まず、（５−１）にて補強部材（４）の構成を説明すると、補強部材（４）は補強部材本体（４１）と補強部材蓋（４２）で構成され、補強部材本体（４１）のカシメ突起部（４３）を補強部材蓋（４２）のカシメ穴（４４）に通してカシメ突起部（４３）の先頭を補強部材蓋（４２）のカシメ穴（４４）の上から潰してカシメることにより、補強部材本体（４１）に対して補強部材蓋（４２）を回動可能に一体化する。なお、（５−１）ではカシメで補強部材本体（４１）と補強部材蓋（４２）を繋いでいるが、ビス止めなど他の方法で一体化しても問題ないし、後に述べる図６のように本体も蓋も一体成型で補強部材（４）を準備することもできる。
次に（５−２）は（５−１）の補強部材（４）をひっくり返した図で、回動可能に一体化された補強部材蓋（４２）の裏には固定爪（４５）が設けられており、補強部材本体（４１）の馬蹄形の開口部である鍔挿入口（４６）の幅より少しせまい間隔で固定爪（４５）の間隔を設けておくことで、補強部材蓋（４２）を補強部材本体（４１）に重ねるように回動させると、固定爪（４５）がこの鍔挿入口（４６）の空間に引っかかり補強部材蓋（４２）が補強部材本体（４１）の所定位置に固定されるようになる状態を（５−２）で図示している。
【００３８】
次に（５−３）と（５−４）にて補強部材（４）に鼻緒の端の鍔（２４）を装着する説明をすると、（５−３）で図示するように補強部材本体（４１）には鍔挿入口（４６）と鍔設置部（４７）が設けられており、鼻緒の端の鍔（２４）は補強部材本体（４１）に対して、この鍔挿入口（４６）の馬蹄形の開口部を利用して補強部材本体（４１）の横から挿入し、鍔設置部（４７）に鼻緒の鍔（２４）を設置して、その上から補強部材蓋（４２）で補強部材本体（４１）を覆うことで鼻緒の鍔（２４）が補強部材（４）から外れないようになる。補強部材（４）に鍔（２４）を設置した後は、先の図４で説明したように、台（３）の前壺（３１）または後壺（３２）の鍔固定穴（３４）に、この鼻緒と一体化した補強部材（４）を収納する。
鍔設置部（４７）に設置された鍔（２４）は、本来の形状である「Ｔ」字型を維持したまま補強部材蓋（４２）で覆われるため、先に述べた図（３−２）のように、鍔固定穴（３４）の空間で鍔（２４）が「へ」の字の形状に変化するゆとりの空間が無い状況になる。よって、鼻緒（２）が台（３）から人力で抜く方向に引っ張られても、補強部材本体（４１）と補強部材蓋（４２）で囲われて鍔設置部（４７）の中で鍔（２４）は「Ｔ」字型を維持することになり、台（３）に対して鼻緒（２）の固定を補強することになる。（５−３）は鍔（２４）を補強部材（４）に設置する前の状態を示した図であり、（５−４）は補強部材（４）に鍔（２４）を設置した後の状態を図示している。
ここで、補強部材（４）の径と鍔固定穴（３４）の径については、鍔固定穴（３４）の径を補強部材（４）の径より若干大きくし、台（３）のクッション性で装着保持できる程度のゆとりを持たせて設計しておくのが好ましい。なお、実施例１の補強部材（４）はポリカーボネート（ＰＣ）、ポリプロピレン（ＰＰ）、ＡＢＳ樹脂、金属などの部材で製作しているが、補強部材（４）の目的が得られる部材であればこれ以外の部材でも何ら支障はない。
【００３９】
次に（５−５）と（５−６）にて調整部材（５）の説明をすると、調整部材（５）は、補強部材本体（４１）と同じように空間部分で鼻緒（２）の首部（２５）を跨ぐように差し込み、補強部材（４）を台（３）の鍔固定穴（３４）に装填するときに、台（３）と補強部材（４）の間に挟まれる状態で使う。
（５−５）で示すように、補強部材（４）の下に差し込む調整部材（５）は、鼻緒（２）の鍔（２４）を補強部材（４）に格納したあとでも鼻緒（２）の首部（２５）に差し込めるように開口部があり、台（３）と補強部材（４）との間に任意の枚数で差し込むことが可能で、補強部材（４）と共に鍔固定穴（３４）に収納する。
（５−６）では補強部材（４）の下に２枚の調整部材（５）が差し込まれた状態を図示しており、例えば調整部材（５）の厚さを１ｍｍとするならば、２枚の調整部材（５）を追加することで補強部材（４）に２ｍｍを加えた鼻緒調整幅（５１）を確保することになる。
これは鼻緒付き履物（１）の台（３）の中に鼻緒（２）の鍔（２４）を２ｍｍ深く挿げることを意味しており、台（３）の表側に現れる鼻緒（２）の長さを２ｍｍ短くすることが出来ることになる。
【００４０】
鼻緒付き履物（１）には鍔（２４）を挿げる壺は３か所あるので、各々の壺ごとに鼻緒（２）の端の鍔（２４）の固定深さを、この調整部材（５）の枚数によって任意に調整できるので、ユーザが自由に鼻緒（２）の長さを調節することが可能となる。
人の足は各々で足のサイズが異なるのと同様に足の甲の高さにもバラつきがあり、且つ一人の足であっても左右に微妙なサイズ違いや変形があり、履物を購入するときに１足の靴を左右で別サイズのものを欲しがる人もいれば、運動靴の幅を引き締める紐の締め具合を左右の足で違う引き締め方をする人もいる。
本願発明では、鼻緒（２）を固定するときに各々の端部で調整部材（５）を使用して長さ調整が可能となるため、右足と左足で鼻緒長さを違うものにもできるし、片方の鼻緒（２）の横緒（２２）を、左右の後壺（３２）で違う長さに調整することも可能である。それによって、人それぞれの足にフィットするように、鼻緒（２）の長さや肌への密着感のバランスを各自の好みで微調整できるようになる。
ここで、実施例１の調整部材（５）は合成ゴム、天然ゴム、金属などの硬い固形物であって、所定の厚みを持つ部材を加工して作られたもの（たとえば厚さ１ｍｍ）であって、その目的が得られる場合には他の部材でも特に問題はない。この鼻緒調整幅（５１）については、補強部材本体（４１）の鍔設置部（４７）の下の肉厚、いわゆる（５−５）で示す鼻緒調整幅（５１）に相当する部分の、肉厚が異なる補強部材（４）を準備した場合も、鼻緒の長さ調整においては同じ目的を果たすことが可能である。
【００４１】
図６は補強部材を本体と蓋に分けることなく一体型で成形する状況を示している。
図５の説明で述べた補強部材（４）は、補強部材本体（４１）と補強部材蓋（４２）で構成されており、補強部材本体（４１）に鍔（２４）を設置するときには、補強部材蓋（４２）を回動して補強部材本体（４１）の上を開き、鍔挿入口（４６）の開口部から鼻緒（２）の首部（２５）を差し入れて、鍔設置部（４７）の溝状の隙間に鍔（２４）を落し込むように設置し、補強部材蓋（４２）を回動して鍔（２４）を四方から覆う形で補強部材（４）に収納していた。
それに対して図６の補強部材は本体と蓋を一体化した構造であり、図ではこれまでの分離型と区別がつくように補強部材蓋（４２）の符号を付けているが、回動する必要もなく鍔（２４）を容易に設置できる構造としている。
（６−１）は鍔（２４）を設置する前で、（６−２）は設置後を図示しており、詳しく述べると、図５で説いた補強部材蓋（４２）は一体化され鍔挿入口（４６）と鍔設置部（４７）を有する補強部材本体（４１）、これすなわち補強部材（４）である。（６−１）のように鍔（２４）の横から鍔挿入口（４６）の開口部より差し込み、（６−２）のように鍔（２４）が横滑りして鍔設置部（４７）の奥に接するように設置すれば、鍔（２４）は上下と一側面の三面を囲われることで鍔（２４）のＴ字型は保持され、（６−２）の状態で図４のように台（３）の鍔固定穴（３４）に収納することで、台（３）に対して鼻緒（２）の固定を補強することになる。
【００４２】
これまで図２から図６で説明したように、実施例１は、鼻緒（２）の端の鍔（２４）をひねって台（３）の鍔挿入穴（３３）に素手の力で鼻緒（２）を挿げて、鍔（２４）が鍔固定穴（３４）に入って本来の鍔（２４）の形状に戻ることで台（３）に鼻緒（２）が固定され、その鍔（２４）が鼻緒（２）を引き抜く力によって湾曲することで、素手の力で台から鼻緒を外すことが可能なため、ユーザが簡単に鼻緒（２）を交換出来る。
その鼻緒（２）の固定をさらに確実なものにするために、補強部材（４）を用いて補強することが出来る。
そして調整部材（５）を用いることで鼻緒の長さを任意に調整することも可能になるので、ユーザは実施例１の鼻緒付き履物（１）を履くシチュエーションに合わせて、最適な色柄の鼻緒（２）と最適な色や形状の台（３）の組合せを自分で選び、簡単に鼻緒交換を行えるとともに、鼻緒（２）の長さ調整も自由に調節できるようになり、今までの鼻緒付き履物より使い勝手の良い新たな鼻緒付き履物（１）を手にすることが可能になる。
【００４３】
図７では、従来品の鼻緒と本願の鼻緒を挿げる状態を図示し、計測データにより比較した詳細を説明する。
鼻緒付き履物の鼻緒には布などで作られた和鼻緒と、塩化ビニールなどで作られたビーチサンダルなどに挿げられている鼻緒がある。また、台には日本古来の木製の台と、ゴム材やＥＶＡなどの材質で作られた台がある。
ここでは塩化ビニールで作られた鼻緒と、ＥＶＡの台で構成する鼻緒付き履物について、鼻緒を台に挿げる時の力と鼻緒を台から抜く時の力の現状を説明し、その後に本願発明による鼻緒を台に挿げる時の力と鼻緒を台から抜く時の力の測定データを説明して、従来品と本願の違いを説明する。
まず、一般にビーチサンダルなどに用いられる鼻緒について説明すると、（７−１）のように鼻緒の端の鍔（２４）の形状は円形状で構成されており、鼻緒の首部（２５）の径は７〜８ｍｍが一般的であり、円形状の鍔（２４）の径は１３〜１５ｍｍ、大きいものでは１９ｍｍであって、その鍔の厚さは５ｍｍほどのものがほとんどである。図では首部（２５）を断面にした場合に四角形で描いているが、本願および従来品の形状には四角や丸があり計測に特に影響はないため、描写した形状に関わらず従来品に多い首部が丸い鼻緒でデータを出している。
また、鍔の円形状の寸法は歩行時に履物の前方に力が加わるため、前鍔は後鍔より若干大きくなっている状況にある。
この鍔（２４）を台に刳りぬかれた穴、本願でいう鍔挿入穴（３３）に挿入し、それに連なる鍔固定穴（３４）に鍔（２４）が収まることにより、鍔（２４）は小さな鍔挿入穴（３３）へと引き抜くことが困難となり鼻緒が台に固定される。
【００４４】
次に、ＥＶＡなど従来品の台に設けてある上記鼻緒の鍔が挿入される壺の形状について説明をすると、鼻緒の鍔が円形状であることから、壺の形状も丸穴で刳りぬかれており、台の表側の穴の径は、挿入される鼻緒の端の鍔に至る首部の径である７から８ｍｍと同等の穴が穿孔されており、台の裏側の穴の径は、対応する鍔の円形状の径である１３〜１５ｍｍ、大きいもので１９ｍｍの穴が穿孔されている。そして、これらの穴は台の途中で各鍔が台の中で保持できるように、台の上部に所定の肉厚を残して空間の断面形状が「凸」の字のような形状に設けられる。
つまり、（７−１）のように空間形状が大小２段の穴で穿たれており、上の小さい穴の径、すなわち鍔挿入穴（３３）の径は鼻緒の首部の径である７から８ｍｍ相当であり、下の大きい穴の径、すなわち鍔固定穴（３４）の径は鼻緒の鍔の径である１３〜１５ｍｍ、大きいものでは１９ｍｍで構成され、鍔が台から抜けない台の止め部分、つまり空間形状が凸形状の壺の大小の穴の径の切り替わる段差の面に、鍔（２４）が引っかかることで鼻緒は台から抜けなくなるわけだが、鍔固定穴（３４）の深さを少なくとも鍔（２４）の厚みが収まる深さとし、鍔挿入穴（３３）に首部（２５）が収まって、鼻緒の長さが台の上面で適切な長さになるように設計して製造し、商品として市場に出回っているのが実態である。
なお、今回の測定では従来品のビーチサンダルを計測材料としたが、一般にビーチサンダルについての鼻緒の抜け力は、履物業界では１００ニュートン（１０ｋｇ）以上あれば良しとされ、業界団体の化学物質評価研究機構では１３０ニュートン（１３ｋｇ）でＯＫとしている。
ここでｋｇとニュートンの関係は、１ｋｇ＝９．８０６６５ニュートン  であり、引っ張り強さ測定器ではニュートン単位でわかりづらいので、下記の説明では一般に慣れたｋｇ単位を（  ）の中で参考までに記載して説明をしている。
また、今回の測定に用いた硬度計はＡＳＫＥＲ「高分子計器株式会社」のデュロメータ硬度計、引っ張り強さ測定器はＳＨＩＭＡＤＺＵのオートグラフＡＧＳ−Ｘ５ＫＮを用いている。
【００４５】
さて、最初に測定時の条件を説明すると、従来の鼻緒付き履物で鼻緒を挿げる場合の力と、抜ける場合の力を測定するにあたって使用したビーチサンダルは、台の素材は硬度５５度のＥＶＡを用い、壺の穿孔穴の径は８．５ｍｍ、壺の大小の穴の段差から台の表面までの肉厚は９ｍｍ。すなわち（７−１）で示すように鍔挿入穴（３３）の径が８．５ｍｍで深さは９ｍｍで測定している。
鼻緒の素材は高度７２度の塩化ビニール、鼻緒の前緒を使用し、首部（２５）の径は７ｍｍ、鍔の径は１９ｍｍ、鍔の厚さは５ｍｍで測定を行った。この条件にて従来の鼻緒を台に挿げる場合の力は、
９１．４５０２ニュートン（９．３２５３３ｋｇ）であった。
テスト方法としては、従来の鼻緒を挿げると同様に、鼻緒の端の鍔を専用の挿げ具の先端で挟み、この挟んだ挿げ具の端の状態を引っ張り強さ測定器で測定した。
一般に考えても解るように、台の壺の穿孔穴の径が８．５ｍｍなので、ここに鍔の径の１９ｍｍを挿入することは容易ではない。このため、台の下から壺穴の中を通した挿げ具という治具の先端に、鼻緒の鍔を挟んで強引に機械的な力で瞬間的に、台の素材であるＥＶＡの柔軟性を利用して引き込み、鼻緒を挿げるのが業界での今の製造技術である。今回の測定では（７−２）で示すように、台の下から壺穴の中を通した挿げ具の先端で鍔（２４）をしっかりと挟ませ、鍔（２４）を挟んだ挿げ具は上になった先端がチューリップの花のように広がった形状になり、下の根元はそれよりも細く鍔挿入穴（３３）の径よりも細い。約９１ニュートン（９Ｋｇ）の引っ張り力が瞬間的にかかることで、挿げ具のチューリップ状になった先端形状により、ＥＶＡの台の鍔挿入穴（３３）は横に広げられ、挿げ具ごと鍔（２４）を一気に通し、鍔（２４）が台を通り抜けたところで挿げ具の先端は傘のように開いて鍔（２４）から外れ、鼻緒が台の上側に引き戻され履物としての用をなすように定位置に上がることで、鍔（２４）は鍔固定穴（３４）に収まって鼻緒が台に挿げられた状態になる。
また、従来の台から鼻緒を引き抜く場合の力については、挿げた鼻緒を上から引っ張って抜けるか調べたが、測定では約２４１ニュートン（２５ｋｇ）で鼻緒が千切れた。この測定値は上記業界団体の鼻緒の抜け値である１３０ニュートン（１３ｋｇ）より大きな値であり、塩化ビニールで作られた鼻緒の材質のほうが弱く、千切れる結果に終わった。
【００４６】
次に、本願発明の鼻緒を台に挿げる場合と引き抜く場合についての測定条件だが、鼻緒は上記従来品と同じものを使用し、首部の径は７ｍｍ、鍔の厚さは５ｍｍ、鍔の径は１９ｍｍの円形の鍔の両端を切断して長さ１９ｍｍ、幅７ｍｍの長形状の鍔にしたものを本願の鍔として測定を行った。台の壺の穿孔穴は上記従来品のテストと同様に、鍔挿入穴の径が８．５ｍｍで深さは９ｍｍで測定をし、
鼻緒を台に挿げる時の力については、４３．５９５６ニュートン（４．４４５５１ｋｇ）  であり、
鼻緒を台から引き抜く力については、５５．４４２７ニュートン（５．６５３５８ｋｇ）  であった。
この鼻緒を挿げるときの測定は、鍔の先に小さな穴を開け、そこに紐を通して引っ張り測定器で台の裏から引っ張ることで測定をした。
この測定結果から、従来の円形鍔の場合は挿げ具を用いて機械的な力で約９１ニュートン（９ｋｇ）を要していたものが、長形状の鍔では半分の４４ニュートン（４ｋｇ）で挿げられたことが数値として確認できた。
また、鍔を台から引き抜く場合は、従来の円形状の鍔の場合は先に塩化ビニールの鼻緒の方が千切れて鍔を抜くところまでは至らなかったが、長形状の鍔の場合は鍔の形状が「へ」の字型に変形しやすいこともあり、５５ニュートン（６ｋｇ）の力で引き抜けることが数値結果で証明できた。
【００４７】
測定数値を見比べたら、従来品の鼻緒を挿げるときの力は９１ニュートン（９Ｋｇ）で抜くときは２４１ニュートン（２５Ｋｇ）であり、本願発明の挿げるときの力は４４ニュートン（４Ｋｇ）で抜くときは５５ニュートン（６Ｋｇ）であり、本願の鼻緒は従来品の半分以下の力で挿げて、それと大差ない力で抜けると受け止められる。
素手で鼻緒を台に挿げるという本願の目的に照らし合わせて測定数値と鼻緒の着脱方法を見たとき、（７−１）のように径が８．５ｍｍの鍔挿入穴（３３）に、円形の径が１９ｍｍの鍔（２４）を人の手で挿入することは困難であり、（７−２）のように挿げ具の挟む力と、機械の引き抜く力、そして何よりチューリップ状の形状で細い側から太い側へと鍔挿入穴（３３）を押し広げながら挿入される仕組みと強力な力を総合しないことには、従来の円形１９ｍｍの鍔（２４）を８．５ｍｍの鍔挿入穴（３３）に挿入することは、素手だけの操作と力では不可能である。
本願発明の鼻緒は（７−３）のように鍔（２４）の端面が長形で、測定には長さ１９ｍｍ、幅７ｍｍ、厚さ５ｍｍの長形状の鍔（２４）で測定した結果のように、首部（２５）に添わせるように鍔（２４）を縦にひねることで鍔挿入穴（３３）に通すときのサイズが小さくなるため、４４ニュートン（４Ｋｇ）という人の素手の力で容易に挿げられる鼻緒を実現可能とした。
鼻緒を抜く力に関しても、鍔（２４）が湾曲することで鍔挿入穴（３３）から５５ニュートン（６Ｋｇ）という人の素手の力で抜くことを可能とし、その挿げた鼻緒が不用意に抜けないために補強部材で囲うことで鍔（２４）の湾曲を防止して鼻緒の固定を補強し、且つ鼻緒の長さ調整も可能としたのが本願発明である。
なお、一般に人の素手での押す力や引き抜く力は、独立行政法人、製品評価技術基盤機構の人間特性データベースの上肢操作力でも示されているように６０ニュートン前後の値である。
よって、上記の本願の長形状の鍔を台へ挿げる力、および鼻緒を台から引き抜く力の値は、人間の素手の力相当の値であり、治具を用いなくても鼻緒を台に挿げて外せることを測定結果からも証明できている。
参考に人間特性データベースのＵＲＬを下記に紹介しておきます。
http://www.tech.nite.go.jp/human/jp/contents/cdata/index-g.html
【００４８】
図８は実施例２の鼻緒付き履物の斜視図であり、鼻緒付き履物（１）は鼻緒（２）と台（３）で構成され、鼻緒（２）は図１で説明した本発明の鼻緒と同一、つまり鼻緒の前緒（２１）と２つの後緒（２３）の端には共に長形の鍔（２４）が設けられている。
図８で解るように、実施例２では台（３）に設けている前壺（３１）と後壺（３２）の形状が実施例１とは異なる。実施例１（図２参照）では前壺（３１）および後壺（３２）は各々丸型の鍔挿入穴（３３）と鍔固定穴（３４）で構成されていたが、実施例２の鍔挿入穴（３３）は、鼻緒の鍔（２４）の形に見合った長形の刳りぬき穴で台（３）の上から下まで貫通した穴として設けられ、鍔固定穴（３４）は台（３）の裏面から所定の深さで、貫通している鍔挿入穴（３３）とは９０度交差した向きで、鍔（２４）の形に見合った長形の空間を設けている。台（３）の裏面から見れば、鍔挿入穴（３３）と鍔固定穴（３４）が９０度交差して、十文字の形での穴が台の途中まで設けられた構造になる。
ここで、台（３）の裏面からの所定の深さとは、台における鼻緒の鍔（２４）を台から抜けなくするように台の肉厚を確保したうえで、鍔（２４）の厚みが収まる鍔固定穴（３４）の深さである。
なお、図８の鼻緒の鍔（２４）は、鼻緒（２）の前後長手方向に対して横に長い状態で準備されているにも関わらず、対応する台（３）の鍔挿入穴（３３）は、台（３）の前後長手方向に等しく長形に設けられている。そして、鼻緒の端の鍔（２４）が挿げられた後に、鍔（２４）を固定する穴である鍔固定穴（３４）は、台の前後長手方向に対して９０度交差し、鼻緒の鍔（２４）と同じく横に長い向きに設けてある。
このように、まずは鼻緒の端をひねって、鼻緒の向きとは違う向きで台（３）に貫通されている鍔挿入穴（３３）に鍔（２４）を挿げた後、鼻緒（２４）の端のひねりを元に戻して、本来の鍔（２４）の向きで台（３）に所定の深さで穿たれている鍔固定穴（３４）に鍔（２４）を収めることで、台（３）に鼻緒（２）を挿げて固定させることが可能となる。
【００４９】
図９では、この台（３）に対して鼻緒を挿入したり抜き出すときの状態を具体的に説明する。
まず、台（３）に鼻緒の前緒（２１）を挿入する場合は、（９−１）で示しているように、鼻緒（２）を台（３）に対して９０度向きをひねって、台の前壺（３１）に貫通している鍔挿入穴（３３）に、鼻緒の前緒（２１）の端にある鍔（２４）の向きを合わせて上から挿入する。そして、台（３）の裏側に鍔（２４）が露出するまで貫通させた後、鼻緒（２）を元の向きに戻して、台（３）の前壺（３１）の下部に設けられている鍔固定穴（３４）に鍔を（２４）収めることで、鼻緒（２）の前緒（２１）が台（３）に挿げられ固定される。
次に（９−２）で後緒を台に挿げる方法を説明すると、後緒（２３）の端をひねって台の後壺（３２）に貫通している鍔挿入穴（３３）に、鼻緒の後緒の端にある鍔（２４）の向きを合わせて上から挿入する。そして、台（３）の裏側に鍔（２４）が露出するまで貫通させた後、鼻緒（２）が台（３）の上で正しい向きになるよう鼻緒の端のひねって本来の向きに戻し、その鍔挿入穴（３３）とは９０度異なった角度に設けられている後壺（３２）の鍔固定穴（３４）に、鼻緒の後緒の鍔（２４）を各々収めることで、鼻緒（２）の後緒（２３）が台（３）に挿げられ固定される。
次に鼻緒（２）を台（３）から抜き出す場合の動作について説明すると、前緒、後緒など抜き出したい鼻緒（２）の端の各々を、台（３）の表側から裏側へと押し込むことで、鍔固定穴（３４）に収まっている鍔（２４）を台（３）の外へ露出させ、鼻緒（２）の端の向きを９０度回転させることにより鍔固定穴（３４）の向きだった鍔（２４）を鍔挿入穴（３３）の向きに合わせて引き上げることで、鼻緒（２）の端を台（３）から抜き出すことができる。
この操作を、鼻緒（２）の３つの鍔（２４）に対して行えば、鼻緒（２）の端の前緒（２１）および後緒（２３）の鍔（２４）を、台（３）から容易に取り外せる。
このように、本発明の鼻緒（２）は簡単な操作で台（３）に挿げたり取り外したりすることが出来るので、デザインの異なる鼻緒（２）と台（３）をユーザは必要に応じて簡単に交換することが可能となる。
【００５０】
実施例２では、図９の説明で台（３）の鍔挿入穴（３３）と鍔固定穴（３４）の長形の向きについて述べたが、鼻緒（２）の各々の端をひねって挿げて最終的に鍔固定穴（３４）に鍔（２４）を収めたとき、鼻緒（２）が正しい向きで台（３）に固定されるようになれば良いのであって、図８のように鍔（２４）の方向を横向きではなく、鼻緒（２）の長手方向と同じく縦に長い向きで鍔（２４）を設けた場合は、台（３）の鍔固定穴（３４）がその鍔（２４）と同じ向きになるように所定の深さで設け、それに交差して連なる鍔挿入穴（３３）が９０度回転された向きで台（３）に貫通していれば、同じ操作で鼻緒（２）を台（３）に挿げて固定する構造になる。
そして、鍔挿入穴（３３）と鍔固定穴（３４）が交差して設けてある角度については、９０度に限定するものではない。鼻緒（２）の端が硬くしっかりしていて、鍔（２４）が鍔固定穴（３４）から鍔挿入穴（３３）へと安易に移動しない場合には、鍔挿入穴（３３）と鍔固定穴（３４）の角度は例え１０度でも、本願の鼻緒付き履物（１）を使用するときに鍔（２４）が鍔固定穴（３４）から鍔挿入穴（３３）へと移動しなければ、角度は最小限でも問題は無い。
また、鼻緒の鍔（２４）の形状が長形以外の形状である場合には、台（３）の鍔挿入穴（３３）と鍔固定穴（３４）の形状は鼻緒の鍔（２４）に合わせた形状で設け、例えばハート型の鍔（２４）を鼻緒（２）の端に縦向きに設けたとすれば、台（３）に設ける鍔固定穴（３４）は鍔（２４）と同じハート型を縦向きで設けるが、鍔挿入穴（３３）は縦向きでさえなければ、９０度回転した横向きでも良いし１０度から８０度など、鼻緒（２）の端をひねって台（３）に挿げて鍔（２４）が鍔固定穴（３４）に固定できれば何ら問題は無い。
【００５１】
一例をあげると、鼻緒（２）の端の首部（２５）の先端近くにピン穴を空け、その穴に硬い金属棒を差し込んで、断面が漢字の「中」の字のようにしてもそれが鍔（２４）になる。図示していないが、「中」の字の形に鍔（２４）を準備した場合、鍔挿入穴（３３）は首部（２５）が通る丸穴と、金属棒が通る切り込みを１本入れたような形で台に貫通穴を設ければ良い。図８や図９では台（３）に設けた鍔挿入穴（３３）を長四角で描いているが、実際の加工工程では長四角より丸穴を空けるほうが簡単で作業効率が良い。
鼻緒付き履物（１）が木製など硬い部材であっても、丸穴を空けてその円周の一方向に貫通する直線の切り込みを空けて「中」の字の形で鍔挿入穴（３３）を設ければ、台（３）の表面に鼻緒（２）が現れる部分が、一般的な丸穴から円形の首部（２５）が露出することになり、細いまっすぐな切り込みは目立ちにくく鼻緒付き履物（１）の体裁が良くなる。
そして、「中」の字の形の鍔（２４）は「中」の字の形の鍔挿入穴（３３）を通り抜けた後に回転させ、金属棒が収まる直線の切り込みを任意の深さで設けるだけで用途をなす鍔固定穴（３４）に、金属棒を収めることで鼻緒（２）を固定することができ、その直線の切り込みの向きは、貫通した鍔挿入穴（３３）の切り込みと角度がずらしてさえあれば、１０度から９０度などいずれの角度で切り込みを設けても何ら問題なく、金属棒を収めることで鍔（２４）を鍔固定穴（３４）に収めることになり、鼻緒（２）を台（３）に固定することが可能である。
【００５２】
図１０では実施例２における鼻緒を挿げる手順の詳細、および実施例２で使用する調整部材（５）について断面図を交えて説明する。実施例２で鼻緒を挿げる方法についてはすでに図９で説明しているが、一つの壺と一つの鍔（２４）に焦点を当てて斜視図と断面図にてわかり易く図示している。
大まかに説明すると、（１０−１）（１０−２）（１０−３）（１０−４）は台の前壺、後壺など、一つの壺に鼻緒の鍔（２４）を挿げる状況の斜視図であり、（１０−５）（１０−６）（１０−７）（１０−８）はその断面図である。（１０−９）は鍔（２４）が台の裏側に露出したときに、鍔（２４）の上に差し込む調整部材（５）を説明する斜視図で、（１０−１０）（１０−１１）は調整部材（５）を用いた状況を説明するための断面図である。
まず、（１０−１）は鼻緒の鍔（２４）を壺に挿入する前の状態で、台に設けられている鍔挿入穴（３３）と鍔固定穴（３４）の位置関係を説明すると、鍔挿入穴（３３）は長形の刳りぬき穴で台の上面から底面に貫通しており、その向きとは９０度回転した「十文字」の向きで、台の底面から所定の深さで鍔固定穴（３４）が同じく長形で設けられている。その断面図である（１０−５）のように、挿げる前のひねった向きの鍔（２４）が、長形の細い向きが見えているのと同様に、細い向きが見える鍔挿入穴（３３）に対し、鍔固定穴（３４）は、底面から所定の深さで長形の長手方向が見える構造となっている。
（１０−２）は鍔挿入穴（３３）に鼻緒の鍔（２４）を挿入して貫通させた状態を示しており、（１０−６）のように台の底面より外に、鍔（２４）が露出する状態まで鼻緒の端を押し込んだ状態であり、挿げた鍔（２４）の向きは細い側が見えている。
（１０−３）では鼻緒の首部（２５）を手で９０度回転させた状況であり、その下に連なる鍔（２４）も共に回転している。断面（１０−７）のように、鍔（２４）は鍔固定穴（３４）と同じように長形の長い向きが見える状況になる。
（１０−４）では鍔固定穴（３４）と鍔（２４）が同一の向きになった状態から、鼻緒を引き上げることで鍔（２４）を鍔固定穴（３４）に収めた状態であり、（１０−８）で示すように、鍔固定穴（３４）と鍔挿入穴（３３）との境目である段差に、鍔（２４）が接することで台の上に現れる鼻緒の長さが確定して、鼻緒が台に挿げて固定された状態になる。
【００５３】
（１０−９）からは実施例２で調整部材を使用する状況を図示しており、斜視図で調整部材を差し込む状況を説明し、（１０−１０）（１０−１１）の断面図で調整部材の効果などを説明する。
まず、（１０−９）では「コ」の字型の調整部材（５）が準備されている様子を図示したものであり、鍔挿入穴（３３）を貫通して台の底面より鍔（２４）が露出した状況で、鍔（２４）の上にこの調整部材（５）を差し込んで使用するものである。図では「コ」の字型に描くことで、調整部材（５）の中央の空洞部分が鼻緒の首部（２５）をまたいで、両側の肉厚が鍔（２４）の両側の上に重なることを表しているが、この調整部材（５）の形状は、後に断面図で述べる調整効果を得られるものであれば、この形状に特定するものではなく、例えば首部（２５）で隔てた鍔（２４）の両側に、２枚の板状の調整部材（５）を差し込んでも同様の調整効果を成すものである。
（１０−１０）は、鍔固定穴（３４）の中で鍔（２４）の上に調整部材（５）が２枚差し込まれている様子を断面図で示し、（１０−１１）では、鍔固定穴（３４）の中で鍔（２４）の上に調整部材（５）が１枚差し込まれている様子を断面図で示している。
ここで調整部材（５）の厚さを１ｍｍとするならば、（１０−１０）では、鍔固定穴（３４）の中で鍔（２４）が固定される位置が１ｍｍ＋１ｍｍで２ｍｍの厚さほど台の上面から離され深い位置で固定されることになり、おのずと台の上面に現れる鼻緒の長さが２ｍｍ短くなる。（１０−１１）のように調整部材（５）を１枚差し込んだ場合は、鍔（２４）は１ｍｍ深く固定され、台の上面に現れる鼻緒の長さを１ｍｍ短くすることができる。
つまり、実施例２の調整部材（５）の目的、効果は、実施例１の図５の（５−５）（５−６）で示した調整部材（５）と同じ機能を実現するものであり、実施例２においても実施例１と同様、各々の壺で各々の鍔（２４）の固定される深さを調整することにより、ユーザの足にフィットする鼻緒になるようユーザ自身が手軽に長さ調節することが可能となる。
【００５４】
図示していないが、実施例２の場合にも鍔（２４）が「へ」の字型に湾曲しないよう、図５で示した補強部材（４）とは形状が異なるが、鍔（２４）が首部（２５）に対して「Ｔ」字型を維持できる補強部材を用意し、鍔（２４）の肉厚の上下を囲う構造で湾曲できないよう補強してやれば、鍔（２４）は安易に鍔挿入穴（３３）へと抜け出ないよう鍔固定穴（３４）の中で固定を補強できる。
実施例１では、台（３）の部材として独立気泡発泡スポンジ（ＥＶＡ）などクッション性も意識した事例として鍔挿入穴（３３）や鍔固定穴（３４）を丸く開示したが、実施例２では、台（３）は木製などクッション性が少ないまたは無い部材も意識して本願発明の目的を実現する手段である。また、和鼻緒などのように鼻緒（２）の端の部材に柔軟性がなくポリ塩化ビニール（ＰＶＣ）などの樹脂製より硬い鼻緒（２）の構成も考慮し、実施例１のように鼻緒（２）の鍔（２４）だけをひねって挿げられないものであっても、鼻緒（２）の端をひねることで鍔（２４）の向きを変えることにより台に鼻緒を挿げることが出来るよう、実施例２は実施例１では実現困難な鼻緒（２）の部材、台（３）の部材において、同様の効果を生む鼻緒付き履物（１）の提案を可能にしている。
【００５５】
このように実施例２においても、図８から図１０で説明したように、人の素手の力で鼻緒（２）の端をひねって鍔（２４）の向きを合わせることで、台（３）の壺の鍔挿入穴（３３）へ鼻緒（２）を挿げて、鍔（２４）を鍔固定穴（３４）に収めることでユーザが簡単に鼻緒（２）を台（３）に挿げて固定することができ、その固定を確実なものにするために補強部材（４）を用いて補強することができ、さらに調整部材（５）を用いることで鼻緒の長さを任意に長節することも可能になるので、ユーザは鼻緒付き履物を履くシチュエーションに合わせて最適な色柄の鼻緒（２）を、最適な色や形状の台（３）に簡単に素手で挿げることが可能であると同時に、鼻緒（２）の長さ調節も自由に行うことが可能になるので、今までの鼻緒付き履物より使い勝手の良い新たな鼻緒き履物を手にすることが可能になる。
【符号の説明】
【００５６】
１．  鼻緒付き履物
２．  鼻緒
２１．前緒
２２．横緒
２３．後緒
２４．鍔
２５．首部
３．  台
３１．前壺
３２．後壺
３３．鍔挿入穴
３４．鍔固定穴
４．  補強部材
４１．補強部材本体
４２．補強部材蓋
４３．カシメ突起部
４４．カシメ穴
４５．固定爪
４６．鍔挿入口
４７．鍔設置部
５．  調整部材
５１．鼻緒調整幅
【図１】
2015112121.tif 000003
【図２】
2015112121.tif 000004
【図３】
2015112121.tif 000005
【図４】
2015112121.tif 000006
【図５】
2015112121.tif 000007
【図６】
2015112121.tif 000008
【図７】
2015112121.tif 000009
【図８】
2015112121.tif 000010
【図９】
2015112121.tif 000011
【図１０】
2015112121.tif 000012